(57)【要約】【課題】レンズモジュールを提供する。【解決手段】レンズモジュール１００は、通光孔１１１が設けられた第１の筒壁１１、第２の筒壁１３及び第１の筒壁１１と第２の筒壁１３によって形成された収納空間１５を有するレンズ鏡筒１と、レンズ群２とを備え、第１の筒壁１１における収納空間１５に向かう表面には、複数の第１の位置決め孔１１３が設けられており、レンズ群２は、第１の表面３１、第２の表面３３、複数の第１の貫通孔３５及び複数の第１の位置決め部材３８を有する第１のレンズ３を少なくとも有する。レンズモジュール１００は、第１の位置決め部材３８が第１の貫通孔３５及び第１の位置決め孔１１３を貫通することにより、通光孔１１１の軸線が第１のレンズ３の光軸と重なり合わせ、レンズモジュール１００が高い同軸度及び安定性を有することを保障することができる。【選択図】図１
2018072800.tif 000002
【特許請求の範囲】
【請求項１】
通光孔が設けられた第１の筒壁、前記第１の筒壁から折り曲げ、延在する第２の筒壁及び前記第１の筒壁と前記第２の筒壁によって形成された収納空間を有するレンズ鏡筒と、前記収納空間内に収納され、第１のレンズ及び第２のレンズを有するレンズ群とを備えるレンズモジュールであって、
前記第１の筒壁における前記収納空間に向かう表面には、複数の第１の位置決め孔が設けられており、
前記第１のレンズは、第１の表面と、前記第１の表面に対向する第２の表面と、前記第１の表面及び前記第２の表面を貫通する複数の第１の貫通孔と、前記第１の貫通孔及び前記第１の位置決め孔を順次に貫通して前記第１のレンズを前記第１の筒壁に固定する複数の第１の位置決め部材とを備えることを特徴とするレンズモジュール。
【請求項２】
前記第１のレンズは、前記第２の表面に設けられた複数の第２の位置決め孔を更に有し、前記第２のレンズは、第３の表面と、前記第３の表面に対向する第４の表面と、前記第３の表面及び前記第４の表面を貫通する複数の第２の貫通孔と、前記第２の貫通孔及び前記第２の位置決め孔を順次に貫通して前記第２のレンズを前記第１のレンズに固定する複数の第２の位置決め部材とを備えることを特徴とする請求項１に記載のレンズモジュール。
【請求項３】
前記第２のレンズは、前記第４の表面に設けられた複数の第３の位置決め孔を更に有し、前記レンズ群は、第３のレンズを更に有し、前記第３のレンズは、光軸に平行する方向に沿って貫通する複数の第３の貫通孔と、前記第３の貫通孔及び前記第３の位置決め孔を順次に貫通して前記第３のレンズを前記第２のレンズに固定する複数の第３の位置決め部材とを備えることを特徴とする請求項２に記載のレンズモジュール。
【請求項４】
前記第３のレンズは、前記第３のレンズにおける、前記第２のレンズから離れる表面に設けられた複数の第４の位置決め孔を更に有し、前記レンズ群は、仕切り部材を更に備え、前記仕切り部材は、光軸に平行する方向に沿って貫通する複数の第４の貫通孔と、前記第４の貫通孔及び前記第４の位置決め孔を順次に貫通して前記仕切り部材を前記第３のレンズに固定する複数の第４の位置決め部材とを備えることを特徴とする請求項３に記載のレンズモジュール。
【請求項５】
前記仕切り部材は、前記仕切り部材における、前記第３のレンズから離れる表面に設けられた複数の第５の位置決め孔を更に有し、前記レンズ群は、第４のレンズを更に有し、前記第４のレンズは、光軸に平行する方向に沿って貫通する複数の第５の貫通孔と、前記第５の貫通孔及び前記第５の位置決め孔を順次に貫通して前記第４のレンズを前記仕切り部材に固定する複数の第５の位置決め部材とを備えることを特徴とする請求項４に記載のレンズモジュール。
【請求項６】
複数の前記第１の位置決め孔、複数の前記第２の位置決め孔、複数の前記第３の位置決め孔、複数の前記第４の位置決め孔、複数の前記第５の位置決め孔、複数の前記第１の貫通孔、複数の前記第２の貫通孔、複数の前記第３の貫通孔、複数の前記第４の貫通孔及び複数の前記第５の貫通孔は、それぞれ光軸を中心として対称配置されていることを特徴とする請求項５に記載のレンズモジュール。
【請求項７】
前記第１の位置決め孔、前記第２の位置決め孔、前記第３の位置決め孔、前記第４の位置決め孔及び前記第５の位置決め孔は、何れもネジ穴であり、前記第１の位置決め部材、前記第２の位置決め部材、前記第３の位置決め部材、前記第４の位置決め部材及び前記第５の位置決め部材は、何れもボルトであることを特徴とする請求項５又は６に記載のレンズモジュール。
【請求項８】
前記第１のレンズは、前記第１の表面と前記第２の表面を接続する第１の側面を更に有し、前記第２のレンズは、前記第３の表面と前記第４の表面を接続する第２の側面を更に有し、前記第１の側面及び前記第２の側面は、それぞれ前記第２の筒壁に当接していることを特徴とする請求項２に記載のレンズモジュール。
【発明の詳細な説明】
【技術分野】
【０００１】
本発明は、レンズモジュールに関し、特に、一種のレンズモジュールに関するものである。
【背景技術】
【０００２】
科学技術が絶えずに発展していることに伴い、電子デバイスが絶えずにスマート化へ進化しており、デジタルカメラの他、携帯型電子デバイス、例えば、タブレットＰＣ、携帯電話等にも、レンズモジュールが配置されるようになっている。人々の使用ニーズを満たすために、レンズモジュールにより撮影された物体の画像の品質に対しても、高く求められている。しかしながら、撮影された物体の画像品質は、レンズモジュール内における各レンズの光軸の同軸度に大きく関係している。
【０００３】
関連技術におけるレンズモジュールは、通光孔が設けられたレンズ鏡筒と、前記レンズ鏡筒内に設けられたレンズ群とを備え、レンズ群は、少なくとも２つの光学レンズを有し、通光孔の幾何学的中心を通る直線及びこれらの光学レンズの光軸が重なり合わせるべきであり、即ち、高い同軸度を保障する必要がある。また、各光学レンズ同士間の接続も非常に高い安定性を有する必要がある。しかしながら、生産製造の過程においては、高い同軸度及び安定性を保つことが困難である。
【０００４】
従って、新型のレンズモジュールを提供する必要がある。
【発明の概要】
【発明が解決しようとする課題】
【０００５】
本発明は、同軸度が良く、安定性が高いレンズモジュールを提供することを目的とする。
【課題を解決するための手段】
【０００６】
本発明の技術案は、下記のとおりである。
通光孔が設けられた第１の筒壁、前記第１の筒壁から折り曲げ、延在する第２の筒壁及び前記第１の筒壁と前記第２の筒壁によって形成された収納空間を有するレンズ鏡筒と、前記収納空間内に収納され、第１のレンズ及び第２のレンズを有するレンズ群とを備えるレンズモジュールであって、
前記第１の筒壁は、前記収納空間に向かう表面には、複数の第１の位置決め孔が設けられており、
前記第１のレンズは、第１の表面と、前記第１の表面に対向する第２の表面と、前記第１の表面及び前記第２の表面を貫通する複数の第１の貫通孔と、前記第１の貫通孔及び前記第１の位置決め孔を順次に貫通して前記第１のレンズを前記第１の筒壁に固定する複数の第１の位置決め部材とを備える。
【０００７】
前記第１のレンズは、前記第２の表面に設けられた複数の第２の位置決め孔を更に有し、前記第２のレンズは、第３の表面と、前記第３の表面に対向する第４の表面と、前記第３の表面及び前記第４の表面を貫通する複数の第２の貫通孔と、前記第２の貫通孔及び前記第２の位置決め孔を順次に貫通して前記第２のレンズを前記第１のレンズに固定する複数の第２の位置決め部材とを備えることが好ましい。
【０００８】
前記第２のレンズは、前記第４の表面に設けられた複数の第３の位置決め孔を更に有し、前記レンズ群は、第３のレンズを更に有し、前記第３のレンズは、光軸に平行する方向に沿って貫通する複数の第３の貫通孔と、前記第３の貫通孔及び前記第３の位置決め孔を順次に貫通して前記第３のレンズを前記第２のレンズに固定する複数の第３の位置決め部材とを備えることが好ましい。
【０００９】
前記第３のレンズは、前記第３のレンズにおける、前記第２のレンズから離れる表面に設けられた複数の第４の位置決め孔を更に有し、前記レンズ群は、仕切り部材を更に備え、前記仕切り部材は、光軸に平行する方向に沿って貫通する複数の第４の貫通孔と、前記第４の貫通孔及び前記第４の位置決め孔を順次に貫通して前記仕切り部材を前記第３のレンズに固定する複数の第４の位置決め部材とを備えることが好ましい。
【００１０】
前記仕切り部材は、前記仕切り部材における、前記第３のレンズから離れる表面に設けられた複数の第５の位置決め孔を更に有し、前記レンズ群は、第４のレンズを更に備え、前記第４のレンズは、光軸に平行する方向に沿って貫通する複数の第５の貫通孔と、前記第５の貫通孔及び前記第５の位置決め孔を順次に貫通して前記第４のレンズを前記仕切り部材に固定する複数の第５の位置決め部材とを備えることが好ましい。
【００１１】
複数の前記第１の位置決め孔、複数の前記第２の位置決め孔、複数の前記第３の位置決め孔、複数の前記第４の位置決め孔、複数の前記第５の位置決め孔、複数の前記第１の貫通孔、複数の前記第２の貫通孔、複数の前記第３の貫通孔、複数の前記第４の貫通孔及び複数の前記第５の貫通孔は、それぞれ光軸を中心として対称配置されていることが好ましい。
【００１２】
前記第１の位置決め孔、前記第２の位置決め孔、前記第３の位置決め孔、前記第４の位置決め孔及び前記第５の位置決め孔は、何れもネジ穴であり、前記第１の位置決め部材、前記第２の位置決め部材、前記第３の位置決め部材、前記第４の位置決め部材及び前記第５の位置決め部材は、何れもボルトであることが好ましい。
【００１３】
前記第１のレンズは、前記第１の表面と前記第２の表面を接続する第１の側面を更に有し、前記第２のレンズは、前記第３の表面と前記第４の表面を接続する第２の側面を更に有し、前記第１の側面及び前記第２の側面は、それぞれ前記第２の筒壁に当接していることが好ましい。
【発明の効果】
【００１４】
関連する技術に比べ、本発明により提供されたレンズモジュールは、次のような有益な効果を有する。
前記第１の位置決め部材が、前記第１の貫通孔及び前記第１の位置決め孔を貫通して前記第１のレンズを前記第１の筒壁に固定し、前記第２の位置決め部材が、前記第２の位置決め孔及び前記第２の貫通孔を貫通して前記第２のレンズを前記第１のレンズに固定し、前記第３の位置決め部材が、前記第３の位置決め孔及び前記第３の貫通孔を貫通して前記第３のレンズを前記第２のレンズに固定し、前記第４の位置決め部材が、前記第４の位置決め孔及び前記第４の貫通孔を貫通して前記仕切り部材を前記第３のレンズに固定し、前記第５の位置決め部材が、前記第５の貫通孔及び前記第５の位置決め孔を貫通して前記第４のレンズを前記仕切り部材に固定することにより、前記通光孔の軸線が、前記第１のレンズ、前記第２のレンズ、前記第３のレンズ及び前記第４のレンズの光軸と重なり合わせるようにし、前記レンズモジュールが高い同軸度及び安定性を有することを保障する。それとともに、前記第１の側面及び前記第２の側面が、それぞれ前記第２の筒壁に当接することにより、前記レンズモジュールの同軸度及び安定性を更に保障することができる。
【図面の簡単な説明】
【００１５】
【図１】本発明により提供されたレンズモジュールの１つの好ましい実施例の構造を示す模式図である。
【図２】図１に示すレンズモジュールにおけるレンズ鏡筒の構成を示す模式図である。
【図３】図１に示すレンズモジュールにおける第１のレンズの構成を示す模式図である。
【図４】図１に示すレンズモジュールにおける第２のレンズの構成を示す模式図である。
【図５】図１に示すレンズモジュールにおける第３のレンズの構成を示す模式図である。
【図６】図１に示すレンズモジュールにおける仕切り部材の構成を示す模式図である。
【図７】図１に示すレンズモジュールにおける第４のレンズの構成を示す模式図である。
【図８】図３に示す第４のレンズの底面図である。
【発明を実施するための形態】
【００１６】
以下、本発明に係る実施例における図面を参照しながら、本発明の実施例における技術案について明確に、完全に説明する。当然ながら、説明する実施例は、本発明の一部の実施例に過ぎず、全ての実施例ではない。本発明に係る実施例に基づき、当業者は、創造的労力を要せず、得られた全ての他の実施例が何れも本発明の特許請求の範囲に含まれる。
【００１７】
図１に示すように、前記レンズモジュール１００は、レンズ鏡筒１と、前記レンズ鏡筒１内に設けられ、前記レンズ鏡筒１に接続されたレンズ群２とを備える。
【００１８】
図２に示すように、前記レンズ鏡筒１は、通光孔１１１が設けられた第１の筒壁１１、前記第１の筒壁１１から折り曲げ、延在する第２の筒壁１３及び前記第１の筒壁１１と前記第２の筒壁１３により囲まれて形成された収納空間１５を備える。
【００１９】
前記第１の筒壁１１における前記収納空間１５に向かう表面には、複数の第１の位置決め孔１１３が設けられ、複数の前記第１の位置決め孔１１３は、前記通光孔１１１の軸線を中心として対称配置されている。
【００２０】
前記レンズ群２は、順次に接続された第１のレンズ３、第２のレンズ４、第３のレンズ５、仕切り部材６及び第４のレンズ７を備え、前記第１のレンズ３、前記第２のレンズ４、前記第３のレンズ５、前記仕切り部材６及び前記第４のレンズ７は、前記レンズ鏡筒１の軸方向において配置されている。
【００２１】
図３に示すように、前記第１のレンズ３は、第１の表面３１と、前記第１の表面３１に対向する第２の表面３３と、前記第１の表面３１及び前記第２の表面３３を貫通する複数の第１の貫通孔３５と、前記第２の表面３３に設けられた複数の第２の位置決め孔３７と、前記第１の位置決め孔１１３及び前記第１の貫通孔３５と嵌合する複数の第１の位置決め部材３８と、前記第１の表面３１と前記第２の表面３３を接続する第１の側面３９とを備える。前記第１の位置決め部材３８は、前記第１の貫通孔３５及び前記第１の位置決め孔１１３を順次に貫通して前記第１のレンズ３を前記第１の筒壁１１に固定し、前記第１の側面３９は、前記第２の筒壁１３に当接している。
【００２２】
前記第１の表面３１は、順次に接続された第１の平面３１１、第１の斜面３１３及び第１の光学面３１５を備える。前記第１の平面３１１は、前記第１の筒壁１１における前記収納空間１５に向かう表面に当接しているとともに、前記第１のレンズ３の光軸に垂直し、前記第１の斜面３１３は、前記第１の筒壁１１と一定の間隔を隔てており、前記通光孔１１１は、前記第１の光学面３１５を露出させるための十分な直径を有する。
【００２３】
前記第２の表面３３は、順次に接続された第２の平面３３１、第２の斜面３３３及び第２の光学面３３５を備える。前記第２の平面３３１は、前記第１の平面３１１に平行する。
【００２４】
複数の前記第１の貫通孔３５は、垂直方向において前記第１の平面３１１と前記第２の平面３３１を貫通し、複数の前記第２の位置決め孔３７は、前記第２の平面３３１に設けられている。
【００２５】
図４に示すように、前記第２のレンズ４は、第３の表面４１と、前記第３の表面４１に対向する第４の表面４３と、前記第３の表面４１及び前記第４の表面４３を貫通する複数の第２の貫通孔４５と、前記第４の表面４３に設けられた複数の第３の位置決め孔４７と、前記第２の位置決め孔３７及び前記第２の貫通孔４５と嵌合する複数の第２の位置決め部材４８と、前記第３の表面４１と前記第４の表面４３を接続する第２の側面４９とを備える。前記第２の位置決め部材４８は、前記第２の貫通孔４５及び前記第２の位置決め孔３７を順次に貫通して前記第２のレンズ４を前記第１のレンズ３に固定し、前記第２の側面４９は、前記第２の筒壁１３に当接している。
【００２６】
前記第３の表面４１は、順次に接続された第３の平面４１１、第３の斜面４１３及び第３の光学面４１５を備える。前記第３の平面４１１は、前記第２の平面３３１に当接しているとともに、前記第２のレンズ４の光軸に垂直する。
【００２７】
前記第４の表面４３は、第４の平面４３１及び前記第４の平面４３１に接続された第４の光学面４３３を備え、前記第４の平面４３１は、前記第１の平面３１１に平行する。
【００２８】
複数の前記第２の貫通孔４５は、垂直方向において前記第３の平面４１１及び前記第４の平面４３１を貫通し、複数の前記第３の位置決め孔４７は、前記第４の平面４３１に設けられている。
【００２９】
図５に示すように、前記第３のレンズ５は、第５の表面５１と、前記第５の表面５１に対向する第６の表面５３と、前記第５の表面５１及び前記第６の表面５３を貫通する複数の第３の貫通孔５５と、前記第６の表面５３に設けられた複数の第４の位置決め孔５７と、前記第３の位置決め孔４７及び前記第３の貫通孔５５と嵌合する複数の第３の位置決め部材５８と、前記第５の表面５１と前記第６の表面５３を接続する第３の側面５９とを備える。前記第３の位置決め部材５８は、前記第３の貫通孔５５及び前記第３の位置決め孔４７を順次に貫通して前記第３のレンズ５を前記第２のレンズ４に固定し、前記第３の側面５９は、前記第２の筒壁１３に当接している。
【００３０】
前記第５の表面５１は、順次に接続された第５の平面５１１、第４の斜面５１３及び第５の光学面５１５を備える。前記第５の平面５１１は、前記第４の平面４３１に当接し、前記第３のレンズ５の光軸に垂直する。
【００３１】
前記第６の表面５３は、第６の平面５３１及び前記第６の平面５３１に接続された第６の光学面５３３を備え、前記第６の平面５３１は、前記第１の平面３１１に平行する。
【００３２】
複数の前記第３の貫通孔５５は、垂直方向において前記第５の平面５１１及び前記第６の平面５３１を貫通し、複数の前記第４の位置決め孔５７は、前記第６の平面５３１に設けられている。
【００３３】
図６に示すように、前記仕切り部材６は、第７の表面６１と、前記第７の表面６１に対向する第８の表面６３と、前記第７の表面６１及び前記第８の表面６３を貫通する複数の第４の貫通孔６５と、前記第８の表面６３に設けられた複数の第５の位置決め孔６６と、前記第４の貫通孔６５及び前記第４の位置決め孔５７と嵌合する複数の第４の位置決め部材６７と、前記第７の表面６１と前記第８の表面６３を接続する第４の側面６８と、前記第７の表面６１と前記第８の表面６３を接続し且つ前記第４の側面６８と間隔を隔てて設けられた第５の斜面６９とを備える。前記第４の位置決め部材６７は、前記第４の貫通孔６５及び前記第４の位置決め孔５７を順次に貫通して前記仕切り部材６を前記第３のレンズ５に固定し、前記第７の表面６１及び前記第８の表面６３は、前記第１の平面３１１に平行する。
【００３４】
複数の前記第４の貫通孔６５は、垂直方向において前記第７の表面６１及び前記第８の表面６３を貫通し、複数の前記第５の位置決め孔６６は、前記第８の表面６３に設けられている。
【００３５】
図７に示すように、前記第４のレンズ７は、前記第６の平面５３１に当接する第９の表面７１と、前記第９の表面７１に対向する第１０の表面７３と、前記第９の表面７１及び前記第１０の表面７３を貫通する複数の第５の貫通孔７５と、前記第５の貫通孔７５及び前記第５の位置決め孔６６と嵌合する第５の位置決め部材７８と、前記第９の表面７１及び前記第１０の表面７３を接続する第５の側面７９とを備え、前記第５の位置決め部材７８は、前記第５の貫通孔７５及び前記第５の位置決め孔６６を順次に貫通して前記第４のレンズ７を前記仕切り部材６に固定し、前記第５の側面７９は、前記第２の筒壁１３に当接している。
【００３６】
前記第９の表面７１は、順次に接続された第７の平面７１１、第６の斜面７１３及び第７の光学面７１５を備える。前記第７の平面７１１は、前記第８の表面６３に当接し、前記第４のレンズ７の光軸に垂直する。
【００３７】
前記第１０の表面７３は、第８の平面７３１及び前記第８の平面７３１に接続された第８の光学面７３３を備え、前記第８の平面７３１は、前記第１の平面３１１に平行する。
【００３８】
複数の前記第５の貫通孔７５は、垂直方向において前記第７の平面７１１、前記第８の平面７３１及び前記第８の光学面７３３における前記第８の平面７３１に近い部分を貫通するが、光学の有効径に達していない。
【００３９】
本実施例においては、前記第１の位置決め孔１１３、前記第２の位置決め孔３７、前記第３の位置決め孔４７、前記第４の位置決め孔５７及び前記第５の位置決め孔６６は、何れも同じネジ穴であり、前記第１の位置決め部材３８、前記第２の位置決め部材４８、前記第３の位置決め部材５８、前記第４の位置決め部材６７及び前記第５の位置決め部材７８は、何れも同じボルトである。
【００４０】
複数の前記第１の貫通孔３５、複数の前記第２の位置決め孔３７、複数の前記第２の貫通孔４５、複数の前記第３の位置決め孔４７、複数の前記第３の貫通孔５５、複数の前記第４の位置決め孔５７、複数の前記第４の貫通孔６５、複数の前記第５の位置決め孔６６、複数の前記第５の貫通孔７５は、それぞれ前記第１のレンズ３、前記第２のレンズ４、前記第３のレンズ５及び前記第４のレンズ７の共通の光軸を中心として対称配置されている。光軸を中心として対称配置する方法を明確に説明するための詳細については、図８に示されているとおりである。
【００４１】
本発明により提供されたレンズモジュールは、次のような有益な効果を有する。前記第１の位置決め部材３８が、前記第１の貫通孔３５及び前記第１の位置決め孔１１３を貫通して前記第１のレンズ３を前記第１の筒壁１１に固定し、前記第２の位置決め部材４８が、前記第２の貫通孔４５及び前記第２の位置決め孔３７を貫通して前記第２のレンズ４を前記第１のレンズ３に固定し、前記第３の位置決め部材５８が、前記第３の貫通孔５５及び前記第３の位置決め孔４７を貫通して前記第３のレンズ５を前記第２のレンズ４に固定し、前記第４の位置決め部材６７が、前記第４の貫通孔６５及び前記第４の位置決め孔５７を貫通して前記仕切り部材６を前記第３のレンズ５に固定し、前記第５の位置決め部材７８が、前記第５の貫通孔７５及び前記第５の位置決め孔６６を貫通して前記第４のレンズ７を前記仕切り部材６に固定することにより、前記通光孔１１１の軸線が、前記第１のレンズ３、前記第２のレンズ４、前記第３のレンズ５及び前記第４のレンズ7の光軸と重なり合わせるようにし、前記レンズモジュール１００が高い同軸度及び安定性を有することを保障することができる。それとともに、前記第１の側面３９及び前記第２の側面４９が、それぞれ前記第２の筒壁１３に当接することにより、前記レンズモジュール１００の同軸度及び安定性を更に保障することができる。
【００４２】
上述したのは、本発明の実施形態にすぎず、当業者は、本発明の創造的構想を逸脱しない前提で、改善を行うことができるが、これらは全て本発明の保護範囲に含まれる。
【符号の説明】
【００４３】
１００  レンズモジュール
１  レンズ鏡筒
１１  第１の筒壁
１３  第２の筒壁
１５  収納空間
１１１  通光孔
１１３  第１の位置決め孔
２  レンズ群
３  第１のレンズ
３５  第１の貫通孔
３７  第２の位置決め孔
３８  第１の位置決め部材
３７  第２の位置決め孔
４  第２のレンズ
５  第３のレンズ
６  仕切り部材
７  第４のレンズ
【図１】
2018072800.tif 000003
【図２】
2018072800.tif 000004
【図３】
2018072800.tif 000005
【図４】
2018072800.tif 000006
【図５】
2018072800.tif 000007
【図６】
2018072800.tif 000008
【図７】
2018072800.tif 000009
【図８】
2018072800.tif 000010